(57)【特許請求の範囲】
【請求項１】
研究室内で研究活動に関する情報を管理するための情報管理システムであって、
記憶部と、表示画面と、データ登録部と、表示制御部と、コメント受付部を備え、
前記データ登録部は、前記研究室内のメンバーそれぞれが従事している研究活動において時系列に沿って進行する複数のフェーズに関するデータと、前記複数のフェーズそれぞれについて前記メンバーが記録する記録データとを対応づけて前記記憶部に登録し、
前記表示制御部は、前記記録データを、前記フェーズと対応づけたツリー構造で前記表示画面に表示させ、
前記コメント受付部は、前記研究活動に従事するメンバーの前記記録データに対するコメントと、前記研究活動を指導する教員からの前記記録データに対するコメントを受け付け、
前記記録データは前記研究室内で共有され、
前記研究室内のメンバーは、それぞれ前記表示画面を介して前記記録データを閲覧可能とされる、情報管理システム。
【請求項２】
請求項１に記載の情報管理システムであって、
前記記録データには、当該記録データが対応づけられたフェーズにおいて、前記研究活動に従事するメンバーが行うべきタスクが含まれる、情報管理システム。
情報管理システム。
【請求項３】
請求項２に記載の情報管理システムであって、
前記表示制御部は、前記研究活動における前記タスクの一覧を表示する、情報管理システム。
【請求項４】
請求項３に記載の情報管理システムであって、
前記表示制御部は、前記メンバーごとの前記タスクの一覧を時系列で表示する、情報管理システム。
【請求項５】
請求項３に記載の情報管理システムであって、
前記表示制御部は、前記研究活動に従事するメンバーごとの直近のタスクを一覧で表示する、情報管理システム。
【請求項６】
請求項１〜請求項５のいずれか１項に記載の情報管理システムであって、
評価受付部をさらに備え、
前記評価受付部は、前記記録データに対する研究室内のメンバーからの評価を受け付ける、情報管理システム。
【請求項７】
請求項１〜請求項６のいずれか１項に記載の情報管理システムであって、
要約作成部をさらに備え、
前記要約作成部は、前記メンバーが指定した文献の要約を作成する、情報管理システム。
【請求項８】
コンピュータを、研究室内で研究活動に関する情報を管理するための情報管理システムとして機能させるプログラムであって、
データ登録ステップと、画面制御ステップと、コメント受付ステップを、前記コンピュータに実行させ、
前記データ登録ステップでは、前記研究室内のメンバーそれぞれが従事している研究活動において時系列に沿って進行する複数のフェーズに関するデータと、前記複数のフェーズそれぞれについて前記メンバーが記録する記録データとを対応づけて前記コンピュータの記憶部に登録させ、
前記画面制御ステップでは、前記記録データを、前記フェーズと対応づけたツリー構造で前記コンピュータの表示画面に表示させ、
前記コメント受付ステップでは、前記研究活動に従事するメンバーの前記記録データに対するコメントと、前記研究活動を指導する教員からの前記記録データに対するコメントを受け付け、
前記記録データは、前記研究室内で共有されるものであり、
前記画面制御ステップでは、前記研究室内のメンバーのそれぞれに、前記表示画面を介して前記記録データを閲覧させる、プログラム。
【請求項９】
コンピュータを、研究室内で研究活動に関する情報を管理するための情報管理システムとして機能させる情報処理方法であって、
データ登録ステップと、画面制御ステップと、コメント受付ステップを、前記コンピュータに実行させ、
前記データ登録ステップでは、前記研究室内のメンバーそれぞれが従事している研究活動において時系列に沿って進行する複数のフェーズに関するデータと、前記複数のフェーズそれぞれについて前記メンバーが記録する記録データとを対応づけて前記コンピュータの記憶部に登録させ、
前記画面制御ステップでは、前記記録データを、前記フェーズと対応づけたツリー構造で前記コンピュータの表示画面に表示させ、
前記コメント受付ステップでは、前記研究活動に従事するメンバーの前記記録データに対するコメントと、前記研究活動を指導する教員からの前記記録データに対するコメントを受け付け、
前記記録データは、前記研究室内で共有されるものであり、
前記画面制御ステップでは、前記研究室内のメンバーのそれぞれに、前記表示画面を介して前記記録データを閲覧させる、情報処理方法。
【発明の詳細な説明】
【技術分野】
【０００１】
本発明は、情報処理装置、プログラム及び情報処理方法に関する。
【背景技術】
【０００２】
近年、プロジェクトを管理するための情報処理装置の開発が行われている。例えば、特許文献１には、ソフトウェアを使用するユーザに適切なタイミングでヘルプ情報を通知する情報処理装置およびプログラム管理プログラムが開示されている。
【先行技術文献】
【特許文献】
【０００３】
【特許文献１】特開２０１７−７６４４７号公報
【発明の概要】
【発明が解決しようとする課題】
【０００４】
一方、複数のメンバーでプロジェクトを進めるプロジェクトチームにおいて、個々のメンバーがプロジェクトのフェーズごとに必要な情報を記録して、容易に把握したいというニーズがあった。
【０００５】
本発明は、プロジェクトのフェーズごとに必要な情報を記録して、容易に把握できる情報処理装置を提供することである。
【課題を解決するための手段】
【０００６】
チーム内でプロジェクトに関する情報を管理するための情報管理システムであって、記憶部と、表示画面と、データ登録部と、表示制御部を備え、前記データ登録部は、前記チーム内のメンバーそれぞれが従事しているプロジェクトにおいて時系列に沿って進行する複数のフェーズに関するデータと、前記複数のフェーズそれぞれについて前記メンバーが記録する記録データとを対応づけて前記記憶部に登録し、前記表示制御部は、前記記録データを、前記フェーズと対応づけたツリー構造で前記表示画面に表示させる、情報管理システムが提供される。
【０００７】
このような構成を備えることにより、チームのメンバーそれぞれが、従事しているプロジェクトのフェーズに対応づけて記録データを登録することができる。そして、フェーズと対応づけたツリー構造で記録データを表示させるため、メンバーは、フェーズごとに必要な記録データを容易に把握することが可能となる。
【図面の簡単な説明】
【０００８】
【図１】第１実施形態に係る情報管理システム１００の概要を示す図である。
【図２】第１実施形態に係る情報処理装置１０のハードウェア構成を示すブロック図である。
【図３】第１実施形態に係るユーザ端末２０のハードウェア構成を示すブロック図である。
【図４】第１実施形態に係る情報処理装置１０の機能構成を示すブロック図である。
【図５】情報管理システム１００のサインイン画面Ｓを示す図である。
【図６】マイリサーチ画面ＳＴ１を示す図である。
【図７】マイリサーチ画面ＳＴ１におけるフェーズアイコン３３の詳細を表示させた図である。
【図８】ノート表示画面ＳＴ２を示す図である。
【図９】要約表示画面ＳＴ３を示す図である。
【図１０】アーカイブ一覧画面ＳＴ４を示す図である。
【図１１】アーカイブ確認画面ＳＴ５を示す図である。
【図１２】図１２Ａはリスト表示した学生一覧画面ＳＶ１を示す図である。図１２Ｂはグリッド表示した学生一覧画面ＳＶ１を示す図である。
【図１３】進捗確認画面ＳＶ２を示す図である。
【図１４】進捗確認画面ＳＶ２におけるフェーズアイコン３３の詳細を表示させた図である。
【図１５】ノート表示画面ＳＶ３を示す図である。
【図１６】情報管理システム１００の処理の流れを説明するシーケンス図である。
【図１７】変形例１におけるマイリサーチ画面ＳＴ１を示す図である。
【図１８】変形例２におけるマイリサーチ画面ＳＴ１を示す図である。
【図１９】変形例３におけるマイリサーチ画面ＳＴ１を示す図である。
【発明を実施するための形態】
【０００９】
以下、図面を用いて本発明のいくつかの実施形態について説明する。以下に示す実施形態中で示した各種特徴事項は、互いに組み合わせ可能である。また、各特徴事項について独立して発明が成立する。
【００１０】
＜１．第１実施形態＞
（１−１．情報管理システム１００）
本発明の一実施形態に係る情報管理システム１００は、図１に示すように、情報処理装置１０とユーザ端末２０を備える。情報処理装置１０とユーザ端末２０は、例えばインターネットなどのネットワークＮと接続され、互いに通信可能に構成されている。
【００１１】
ユーザ端末２０は、一例としてスマートフォン端末２０ａであってもよいし、ＰＣ端末２０ｂであってもよい。ユーザＵ１およびＵ２は、ユーザ端末２０を操作することにより、情報処理装置１０にアクセスして情報管理システム１００を利用することができる。
【００１２】
本実施形態に係る情報管理システム１００は、チーム内でプロジェクトに関する情報を管理するためのシステムである。本実施形態では、大学の研究室などのチームにおける情報管理に用いられることを想定している。研究室の学生は、情報管理システム１００にアクセスして各自が担当するプロジェクトとしての研究活動において必要な情報を管理する。また、研究室の指導教員は、情報管理システム１００にアクセスして自身が指導する学生の研究活動の進捗を確認する。以下、各構成の機能を詳細に説明する。
【００１３】
（１−２．情報管理システム１００のハードウェア構成）
図２および図３を参照し、情報管理システム１００のハードウェア構成を説明する。
【００１４】
（１ー２ー１．情報処理装置１０のハードウェア構成）
図２は、情報処理装置１０のハードウェア構成を示すブロック図である。情報処理装置１０は、制御部１１、記憶部１２、通信部１３を備える。また、情報処理装置１０は、キーボード及びマウス等で構成されて各種操作の入力を受け付ける操作入力部１４、各種画像を表示する例えば液晶ディスプレイ装置等のモニタ１５を備えていてもよい。
【００１５】
制御部１１は、例えば、ＣＰＵ（Ｃｅｎｔｒａｌ  Ｐｒｏｃｅｓｓｉｎｇ  Ｕｎｉｔ）、マイクロプロセッサ、ＤＳＰ（Ｄｉｇｉｔａｌ  Ｓｉｇｎａｌ  Ｐｒｏｃｅｓｓｏｒ）等であり、情報処理装置１０の全体の動作を制御する。
【００１６】
記憶部１２の一部は、例えば、ＲＡＭ（Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）等で構成されており、制御部１１による各種プログラムに基づく処理の実行時のワークエリア等として用いられる。また、記憶部１２の一部は、例えば、ＲＯＭ（Ｒｅａｄ  Ｏｎｌｙ  Ｍｅｍｏｒｙ）等の不揮発性メモリ、又はＨＤＤ（Ｈａｒｄ  Ｄｉｓｋ  Ｄｒｉｖｅ）であり、各種データ及び制御部１１の処理に利用されるプログラム等を保存する。
【００１７】
記憶部１２に記憶されるプログラムは、例えば、情報処理装置１０の基本的な機能を実現するためのＯＳ（Ｏｐｅｒａｔｉｎｇ  Ｓｙｓｔｅｍ）、各種ハードウェア制御するためのドライバ、各種機能を実現するためのプログラム等であって、本実施形態に係るコンピュータプログラムを含む。
【００１８】
通信部１３は、例えばＮＩＣ（Ｎｅｔｗｏｒｋ  Ｉｎｔｅｒｆａｃｅ  Ｃｏｎｔｒｏｌｌｅｒ）であり、ネットワークＮに接続する機能を有する。なお、通信部１３は、ＮＩＣに代えて又はＮＩＣと共に、無線ＬＡＮ（Ｌｏｃａｌ  Ａｒｅａ  Ｎｅｔｗｏｒｋ）に接続する機能、無線ＷＡＮ（Ｗｉｄｅ  Ａｒｅａ  Ｎｅｔｗｏｒｋ）に接続する機能、例えばＢｌｕｅｔｏｏｔｈ（登録商標）等の近距離の無線通信、及び赤外線通信等を可能とする機能を有してもよい。情報処理装置１０は、ネットワークＮを介してユーザ端末２０等の他の情報処理装置等と接続され、他の情報処理装置等との間で各種データの送受信を行うことができる。
【００１９】
これら制御部１１、記憶部１２、通信部１３、操作入力部１４、及びモニタ１５は、システムバス１６を介して相互に電気的に接続されている。従って、制御部１１は、記憶部１２へのアクセス、モニタ１５に対する画像の表示、オペレータによる操作入力部１４に対する操作状態の把握、及び通信部１３を介した各種通信網や他の情報処理装置へのアクセス等を行うことができる。
【００２０】
（１−２−２．ユーザ端末２０のハードウェア構成）
図３は、本実施形態に係るユーザ端末２０のハードウェア構成を示すブロック図である。ユーザ端末２０は、例えば、スマートフォンやタブレット、ＰＣで実現される情報処理端末であり、制御部２１、記憶部２２、通信部２３を備える。また、ユーザ端末２０は、画像等を表示し操作を受け付け可能なタッチパネルディスプレイ等の表示画面２４、音を出力するスピーカ２５、音が入力されるマイク２６、及び被写体を撮像するカメラ２７、操作ボタン２８を備えていてもよい。以下、情報処理装置１０との相違点を中心に説明する。
【００２１】
操作ボタン２８は、ユーザ端末２０の側面等に設けられ、ユーザ端末２０を起動又は停止させるための電源ボタンやスピーカ２５が出力する音のボリューム調整ボタン等である。
【００２２】
これら制御部２１、記憶部２２、通信部２３、表示画面２４、スピーカ２５、マイク２６、カメラ２７、及び操作ボタン２８は、システムバス２９を介して相互に電気的に接続されている。従って、制御部２１は、記憶部２２へのアクセス、表示画面２４に対する画像の表示、ユーザによるタッチパネルディスプレイ（表示画面２４）や操作ボタン２８に対する操作状態の把握、マイク２６への音の入力、スピーカ２５からの音の出力、カメラ２７に対する制御、及び通信部２３を介した各種通信網や情報処理装置１０などの他の情報処理装置へのアクセス等を行うことができる。
【００２３】
（１−３．情報処理装置１０の機能構成）
図３に示すように、情報処理装置１０の制御部１１は、データ登録部１１ａと表示制御部１１ｂと評価受付部１１ｄと、要約作成部１１ｅを備える。
【００２４】
データ登録部１１ａは、研究室（特許請求の範囲における「チーム」に相当）内の学生（特許請求の範囲における「メンバー」に相当）それぞれが従事している研究活動（特許請求の範囲における「プロジェクト」に相当）において時系列に沿って進行する複数のフェーズに関するデータと、複数のフェーズそれぞれについて学生が記録する記録データとを対応づけて、記憶部１２に登録する。
【００２５】
表示制御部１１ｂは、記憶部１２に登録された記録データを、フェーズと対応づけたツリー構造でユーザ端末２０の表示画面２４に表示させる。コメント受付部１１ｃは、プロジェクトを担当する担当者からの記録データに対するコメントと、プロジェクトを監督する監督者からの記録データに対するコメントを受け付ける。
【００２６】
評価受付部１１ｄは、学生が記録した記録データに対するチーム内のメンバーからの評価を受け付ける。要約作成部１１ｅは、メンバーが指定した文献の要約を作成する。各機能の詳細は後述する。
【００２７】
上述した機能構成は、情報処理装置１０に適宜インストールされるソフトウェア（いわゆるアプリを含む）によって実現してもよく、ハードウェアによって実現してもよい。ソフトウェアによって実現する場合、制御部１１がソフトウェアを構成するプログラムを実行することによって各種機能を実現することができる。
【００２８】
当該プログラムは、情報処理装置１０が内蔵する記憶部１２に格納してもよく、コンピュータが読み取り可能な非一時的な記録媒体に格納してもよい。もしくは、外部の記憶装置に格納されたプログラムを読み出し、いわゆるクラウドコンピューティングにより実現してもよい。また、ハードウェアによって実現する場合、ＡＳＩＣ、ＳＯＣ、ＦＰＧＡ、又はＤＲＰなどの種々の回路によって実現することができる。
【００２９】
（１−４．情報管理システム１００の画面表示）
図５〜図１６を参照し、情報管理システム１００の画面表示を説明する。図５は、情報管理システム１００におけるサインイン画面Ｓを示す図である。
【００３０】
図５に示すように、ユーザはサインイン画面Ｓの入力エリアＳ１に必要事項を入力し、サインインボタンＳ２を押下することで、情報管理システム１００にサインインすることができる。なお、サインインボタンＳ２には、学生用のサインインボタンＳ２ａと教員用のサインインボタンＳ２ｂがある。以下の説明では、ユーザＵ１を学生とし、ユーザＵ２を教員として説明を行う。
【００３１】
まず、図６〜図１１を参照し、学生であるユーザＵ１がサインインした場合を説明する。図６は、学生がサインインした場合のトップ画面に相当するマイリサーチ画面ＳＴ１を示している。
【００３２】
図６に示すように、マイリサーチ画面ＳＴ１は、タスクリスト３１とフェーズエリア３２を備える。タスクリスト３１は、研究活動においてその時点でユーザＵ１に課されているタスクの一覧を時系列で表示する。
【００３３】
フェーズエリア３２には、複数のフェーズアイコン３３が表示される。フェーズアイコン３３は、研究活動において時系列に沿って進行するフェーズを表している。ユーザＵ１は、フェーズ作成ボタン３４を押下することにより、研究活動において必要なフェーズを任意に設定することができる。フェーズアイコン３３を押下すると、詳細が表示される。
【００３４】
図７は、フェーズアイコン３３の詳細を表示させた図である。フェーズアイコン３３には、ノートアイコン３６と、ノート追加ボタン３７が含まれる。ノートアイコン３６は、当該フェーズにおいて学生が記録する記録データであるノートを示す。ノートには、研究内容の詳細や関連する論文についてのデータが含まれる。ノートアイコン３６は、フェーズと対応づけたツリー構造で表示される。なお、ツリー構造とは、1つの親となるデータに対して、複数の子となるデータが対応づけられることにより、枝分かれするようにデータが配置される構造を意味する。
【００３５】
ユーザＵ１は、ノート追加ボタン３７を押下することにより、研究活動のフェーズそれぞれについて、関連する記録データを登録することができる。このように、情報管理システム１００では、時系列で進行するフェーズごとに必要な情報を記録データとして登録し、フェーズに対応したツリー構造で表示させることができるため、ユーザＵ１が自身の研究において必要なデータを容易に把握することが可能となる。
【００３６】
また、ノートアイコン３６には、当該記録データが対応づけられたフェーズにおいて、ユーザＵ１が行うべきタスクがタスクエリア３８に表示されている。このような構成とすることで、ユーザＵ１は、フェーズごとに必要なタスクを確認することができる。ユーザＵ１がノートアイコン３６を押下すると、ノートの詳細が表示される。
【００３７】
図８は、ノート表示画面ＳＴ２を示す図である。図８に示すように、ノート表示画面ＳＴ２には、タスクエリア４１と、ノートエリア４２と、ファイルエリア４３と、コメントエリア４４と、要約ボタン４８とアーカイブ追加ボタン４９が含まれている。
【００３８】
タスクエリア４１には、当該ノートに記載されたタスクが表示される。ノートエリア４２には、当該ノートの内容が表示される。具体的には、研究活動における実験結果や考察、論評などが記載されることとなる。
【００３９】
ファイルエリア４３には、当該ノートに追加した論文などのファイルが表示される。コメントエリア４４には、当該ノートについてのコメントが表示される。
【００４０】
コメントエリア４４には、研究活動を担当する学生であるユーザＵ１からのコメントと、研究活動を指導する教員であるユーザＵ２からのコメントが表示される。ユーザＵ１は、コメント入力欄４５にコメントを記入し、追加ボタン４６を押下することで、随時コメントを追加できる。また、タスク追加欄４７を押下することで、随時タスクを追加できる。ユーザＵ１が要約ボタン４８を押下すると、ファイルエリア４３に追加された論文の要約が表示される。
【００４１】
図９は、要約表示画面ＳＴ３を示す図である。要約作成部１１ｅは、メンバーが指定してファイルエリア４３に表示されている文献の要約を作成する。ここで、要約表示画面ＳＴ３は、当該ノートが属するフェーズを考慮して、要約を作成する。
【００４２】
また、ノート表示画面ＳＴ２において、ユーザＵ１がアーカイブ追加ボタン４９を押下すると、当該ノートがアーカイブに追加される。
【００４３】
図１０は、アーカイブ一覧画面ＳＴ４を示す図である。アーカイブ一覧画面ＳＴ４には、アーカイブに追加されたノートの一覧が表示される。アーカイブに追加されたノートはチーム内で共有され、研究室内のどのメンバーからの閲覧することができる。このような構成を備えていることで、教員であるユーザＵ２は、大学などの毎年学生が入れ替わる環境において、同じ指導を繰り返して行う手間が省ける。
【００４４】
アーカイブ一覧画面ＳＴ４において、タイトルリンク５１を押下すると、アーカイブに追加されたノートが表示される。
【００４５】
図１１は、アーカイブ確認画面ＳＴ５を示す図である。アーカイブ確認画面ＳＴ５は、アーカイブに追加されたノートを表示する。アーカイブ確認画面ＳＴ５は、ノート評価ボタン６１を備える。ユーザＵ１は、ノート評価ボタンを押下することにより、当該ノートに評価を付与することができる。
【００４６】
このように、研究室内で共有された記録データ（すなわち、ノート）に対してメンバーから評価することにより、当該研究室において有用な記録を挙げた学生を特定することができる。例えば企業のリクルータは、アーカイブにおけるノートに付与された評価を参照することにより、評価の高いノートを多く挙げている学生を優先的に採用候補とすることができる。
【００４７】
次に、図１２〜図１５を参照し、教員であるユーザＵ２がサインインした場合を説明する。
【００４８】
図１２Ａおよび図１２Ｂは、教員であるユーザＵ２がサインインした場合のトップページである学生一覧画面ＳＶ１を示す。学生一覧画面ＳＶ１は、表示切替ボタン７１と、タスク一覧エリア７２を備える。表示切替ボタン７１を操作することにより、ユーザＵ２が指導する学生のリスト表示（図１２Ａ）とグリッド表示（図１２Ｂ）を切り替えることができる。
【００４９】
タスク一覧エリア７２には、研究室における学生ごとの直近のタスクが一覧で表示されている。このような仕様とすることで、教員であるユーザＵ２は、自身の学生のタスクの状況を容易に把握することが可能となる。ユーザＵ２がタスク一覧エリア７２における学生リンク７３を押下すると、各学生の研究における進捗を確認することができる。
【００５０】
図１３は、進捗確認画面ＳＶ２を示す図である。進捗確認画面ＳＶ２は、マイリサーチ画面ＳＴ１に対応しており、タスクリスト８１とフェーズエリア８２を備える。フェーズエリア８２には複数のフェーズアイコン８３が表示される。ユーザＵ２がフェーズアイコン８３を押下すると、フェーズアイコン８３の詳細が表示される。
【００５１】
図１４は、進捗確認画面ＳＶ２におけるフェーズアイコン８３の詳細を表示させた図である。フェーズアイコン８３には、ノートアイコン８６が含まれる。ユーザＵ２がノートアイコン８６を押下すると、ノートの詳細が表示される。
【００５２】
図１５は、ノート表示画面ＳＶ３を示す図である。ノート表示画面ＳＶ３は、ノート表示画面ＳＴ２に対応しており、タスクエリア９１と、ノートエリア９２と、ファイルエリア９３と、コメントエリア９４を含む。
【００５３】
ユーザＵ１は、ノートエリア９２の内容およびコメントエリア９４の内容を確認した上で、コメント入力欄９５にコメントを記入し、追加ボタン９６を押下することで、随時コメントを追加できる。
【００５４】
（１−５．情報管理システム１００の処理の流れ）
図１６を参照し、情報管理システム１００の処理の流れを説明する。図１６は、情報管理システム１００の処理の一部についての流れを例示した図である。
【００５５】
ステップＳ１１０において、ユーザＵ１は、端末２０ａを操作して、記録データ（ノート）を入力して情報処理装置１０に送信する。ステップＳ１２０において、情報処理装置１０は、記録データを受信する。
【００５６】
ステップＳ１３０において、情報処理装置１０は、記録データを記憶部１２に登録する。ステップＳ１４０において、表示制御部１１ｂは、登録された記録データをユーザ端末２０ａおよびユーザ端末２０ｂで表示するように制御を行う。
【００５７】
ステップＳ１５０において、ユーザＵ１が端末２０ａを操作することにより、端末２０ａは記憶部に登録された記録データを表示する。また、ステップＳ１６０において、ユーザＵ２が端末２０ｂを操作することにより、端末２０ｂは記憶部に登録された記録データを表示する。
【００５８】
ステップＳ２１０において、ユーザＵ１は、端末２０ａを操作して、コメントを入力して情報処理装置１０に送信する。ステップＳ２２０において、情報処理装置１０は、コメントを受信する。
【００５９】
ステップＳ２３０において、情報処理装置１０は、コメントを記憶部１２に登録する。ステップＳ２４０において、表示制御部１１ｂは、登録されたコメントをユーザ端末２０ａおよびユーザ端末２０ｂで表示するように制御を行う。
【００６０】
ステップＳ２５０において、ユーザＵ１が端末２０ａを操作することにより、端末２０ａは記憶部に登録されたコメントを表示する。また、ステップＳ２６０において、ユーザＵ２が端末２０ｂを操作することにより、端末２０ｂは記憶部に登録されたコメントを表示する。
【００６１】
ステップＳ３１０において、ユーザＵ１は、端末２０ａを操作して、コメントを入力して情報処理装置１０に送信する。ステップＳ３２０において、情報処理装置１０は、コメントを受信する。
【００６２】
ステップＳ３３０において、情報処理装置１０は、コメントを記憶部１２に登録する。ステップＳ３４０において、表示制御部１１ｂは、登録されたコメントをユーザ端末２０ａおよびユーザ端末２０ｂで表示するように制御を行う。
【００６３】
ステップＳ３５０において、ユーザＵ１が端末２０ａを操作することにより、端末２０ａは記憶部に登録されたコメントを表示する。また、ステップＳ３６０において、ユーザＵ２が端末２０ｂを操作することにより、端末２０ｂは記憶部に登録されたコメントを表示する。
【００６４】
（１．６．変形例）
図１７〜図１９を参照し、マイリサーチ画面ＳＴ１の変形例について説明する。図１７に示す変形例１では、研究のフェーズを表すフェーズアイコン３３が横一列に配置され、フェーズアイコン３３の下側に、対応づけられたノートアイコン３６が縦方向に並んで表示される。また、図１８に示す変形例２では、フェーズアイコン３３とノートアイコン３６のツリー構造がより明確に表示されている。
【００６５】
また、図１９に示す変形例３は、スマートフォンなどのモバイル端末での表示を想定した画面である。変形例３では、マイリサーチ画面ＳＴ１は、ＳＴ１−１〜ＳＴ１−３の３つの図面から構成されており、画面上に配置されたフェーズアイコン３３を押下することで、対応づけられたノートアイコン３６が表示される仕様となっている。このように、ノートアイコン３６は、フェーズアイコン３３が表すフェーズと対応づけたツリー構造で表示されていればよく、上述した仕様を含む様々な形態を実現することが可能である。
【００６６】
＜２．その他の実施形態＞
以上、本発明における実施形態及びその変形例について説明したが、本開示の適用は上述の内容に限定されるものではない。
【００６７】
また、上記実施形態では、制御部１１の機能を情報管理システム１００が備える態様について説明したが、一部の機能を他の情報処理装置に実装してもよい。表示制御部１１ｂの機能をユーザ端末２０に実装し、記憶部１２に登録された記録データをユーザ端末２０の表示画面２４に表示させる仕様としてもよい。
【００６８】
さらに、本発明は、コンピュータに上述の情報管理システム１００の機能を実現させるためのプログラムとして実現してもよい。
【００６９】
さらに、本発明は、当該プログラムを格納する、コンピュータ読み取り可能な非一時的な記録媒体として実現してもよい。
【００７０】
以上、本発明に係る種々の実施形態を説明したが、これらは例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれると共に、特許請求の範囲に記載された発明とその均等の範囲に含まれる。
【符号の説明】
【００７１】
１０      ：情報処理装置
１１      ：制御部
１１ａ    ：データ登録部
１１ｂ    ：表示制御部
１１ｃ    ：コメント受付部
１１ｄ    ：評価受付部
１１ｅ    ：要約作成部
１２      ：記憶部
１３      ：通信部
１４      ：操作入力部
１５      ：モニタ
１６      ：システムバス
２０      ：ユーザ端末
２１      ：制御部
２２      ：記憶部
２３      ：通信部
２４      ：表示画面
２５      ：スピーカ
２６      ：マイク
２７      ：カメラ
２８      ：操作ボタン
２９      ：システムバス
１００    ：情報管理システム
【要約】      （修正有）【課題】プロジェクトのフェーズごとに必要な情報を記録して、容易に把握できるようにする情報処理装置、プログラム及び情報処理方法を提供する。【解決手段】情報処理装置が、ネットワークを介してユーザ端末等の他の情報処理装置等と接続し、他の情報処理装置等との間で各種データの送受信を行う情報管理システムにおいて、チーム内でプロジェクトに関する情報を管理するための情報処理装置は、チーム内のメンバーそれぞれが従事しているプロジェクトにおいて時系列に沿って進行する複数のフェーズに関するデータと、複数のフェーズそれぞれについてメンバーが記録する記録データとを対応づけて記憶部に登録するデータ登録部１１ａと、記録データを、フェーズと対応づけたツリー構造で表示画面に表示させる表示制御部１１ｂを有する制御部１１を備える。【選択図】図４【図１】
0006952384.tif 000002
【図２】
0006952384.tif 000003
【図３】
0006952384.tif 000004
【図４】
0006952384.tif 000005
【図５】
0006952384.tif 000006
【図６】
0006952384.tif 000007
【図７】
0006952384.tif 000008
【図８】
0006952384.tif 000009
【図９】
0006952384.tif 000010
【図１０】
0006952384.tif 000011
【図１１】
0006952384.tif 000012
【図１２】
0006952384.tif 000013
【図１３】
0006952384.tif 000014
【図１４】
0006952384.tif 000015
【図１５】
0006952384.tif 000016
【図１６】
0006952384.tif 000017
【図１７】
0006952384.tif 000018
【図１８】
0006952384.tif 000019
【図１９】
0006952384.tif 000020